(57)【要約】【課題】両面同時読み取り式の画像読取装置での調整に要する時間を短くし、画像読取装置が利用可能な状態になるまでの使用者の待ち時間を短くする。【解決手段】画像読取装置は、第１光源及び第１イメージセンサーを含む第１読取部と、第１オフセット回路と第１ＡＤ変換回路とを含む第１信号処理部と、第２光源及び第２イメージセンサーを含む第２読取部と、第２オフセット回路と第２ＡＤ変換回路と、を含む第２信号処理部と、制御部と、差分データを記憶する記憶部と、を含む。制御部は、調整時、第１イメージセンサーの読み取り結果に基づき第１オフセット値を定め、定めた第１オフセット値に差分データの値を加算又は減算することにより、第２オフセット値を求める。【選択図】図７
2017069696.tif 000002
【特許請求の範囲】
【請求項１】
第１光源及び第１イメージセンサーを含み、原稿の一方の面を読み取る第１読取部と、
前記第１イメージセンサーのアナログ信号のオフセット調整を行う第１オフセット回路と、オフセット調整されたアナログ信号をＡＤ変換する第１ＡＤ変換回路と、を含む第１信号処理部と、
第２光源及び第２イメージセンサーを含み、原稿の他方の面を読み取る第２読取部と、
前記第２イメージセンサーのアナログ信号のオフセット調整を行う第２オフセット回路と、オフセット調整されたアナログ信号をＡＤ変換する第２ＡＤ変換回路と、を含む第２信号処理部と、
前記第１オフセット回路と前記第２オフセット回路を制御する制御部と、
前記第１イメージセンサーの読み取り結果に基づき定められた電圧値であって、前記第１オフセット回路が調整する電圧値である第１オフセット値と、前記第２イメージセンサーの読み取り結果に基づき定められた電圧値であって、前記第２オフセット回路が調整する電圧値である第２オフセット値との差を示す差分データを予め記憶する記憶部と、を備え、
前記制御部は、前記第１イメージセンサーの読み取り結果に基づき前記第１オフセット値を定め、定めた前記第１オフセット値に前記差分データの値を加算又は減算することにより、前記第２オフセット値を求め、前記第１オフセット回路に定めた前記第１オフセット値でオフセット調整を行わせるとともに、前記第２オフセット回路に求めた前記第２オフセット値でオフセット調整を行わせることを特徴とする画像読取装置。
【請求項２】
予め定められた更新条件が満たされたとき、
前記制御部は、前記第１光源を消灯した状態での前記第１イメージセンサーの読み取り結果に基づき前記第１オフセット値を定め、前記第２光源を消灯した状態での前記第２イメージセンサーの読み取り結果に基づき前記第２オフセット値を定め、定めた前記第１オフセット値と前記第２オフセット値の差分を求め、前記記憶部に記憶された前記差分データを更新することを特徴とする請求項１に記載の画像読取装置。
【請求項３】
前記第１信号処理部は、前記第１ＡＤ変換回路に入力するアナログ信号を増幅する第１増幅回路を含み、
前記第２信号処理部は、前記第２ＡＤ変換回路に入力するアナログ信号を増幅する第２増幅回路を含み、
前記記憶部は、前記第１イメージセンサーの読み取り結果に基づき定められた前記第１増幅回路の増幅率である第１増幅率と、前記第２イメージセンサーの読み取り結果に基づき定められた前記第２増幅回路の増幅率である第２増幅率と、の比率を示す比率データを予め記憶し、
前記制御部は、前記第１イメージセンサーの読み取り結果に基づき前記第１増幅率を定め、定めた前記第１増幅率に前記比率データの値を乗ずる又は除すことにより、前記第２増幅率を求め、前記第１増幅回路に定めた前記第１増幅率での増幅を行わせるとともに、前記第２増幅回路に求めた前記第２増幅率での増幅を行わせることを特徴とする請求項１又は２に記載の画像読取装置。
【請求項４】
予め定められた比率更新条件が満たされたとき、
前記制御部は、前記第１光源を点灯した状態での前記第１イメージセンサーの読み取り結果に基づき前記第１増幅率を定め、前記第２光源を点灯した状態での前記第２イメージセンサーの読み取り結果に基づき前記第２増幅率を定め、定めた前記第１増幅率と前記第２増幅率との比率を求め、前記記憶部に記憶された前記比率データを更新することを特徴とする請求項３に記載の画像読取装置。
【請求項５】
前記第１光源と前記第２光源は、同じ仕様であり、
前記第１イメージセンサーと前記第２イメージセンサーも同じ仕様であり、
前記第１ＡＤ変換回路と前記第２ＡＤ変換回路も同じ仕様であり、
前記第１オフセット回路と前記第２オフセット回路も同じ仕様であることを特徴とする請求項１又は２に記載の画像読取装置。
【請求項６】
前記第１光源と前記第２光源は、同じ仕様であり、
前記第１イメージセンサーと前記第２イメージセンサーも同じ仕様であり、
前記第１ＡＤ変換回路と前記第２ＡＤ変換回路も同じ仕様であり、
前記第１オフセット回路と前記第２オフセット回路も同じ仕様であり、
前記第１増幅回路と前記第２増幅回路も同じ仕様であることを特徴とする請求項３又は４に記載の画像読取装置。
【請求項７】
請求項１乃至６の何れか１項に記載の画像読取装置を含むことを特徴とする画像形成装置。
【発明の詳細な説明】
【技術分野】
【０００１】
本発明は、原稿の読取を行う画像読取装置に関する。又、この画像読取装置を備えた画像形成装置に関する。
【背景技術】
【０００２】
画像読取装置は、原稿に光を照射する光源や、原稿の反射光に基づき読み取りを行うイメージセンサーを含む。画像読取装置は、イメージセンサーからのアナログ信号を処理して原稿の画像データを出力する。特許文献１には、アナログ信号の電圧オフセットやゲイン調整を行う画像読取装置が記載されている。
【０００３】
具体的に、特許文献１には、光源と、被写体の反射光を受光して電気信号に変換する光電変換素子とを備えた読取部を備え、読取部からのアナログ信号に対して加えるオフセット電圧の基準電圧を表すオフセット設定値と、アナログ信号の増幅率を表すゲイン設定値とを保持し、アナログ信号に対して、オフセット設定値に基づく基準電圧の設定と、ゲイン設定値に基づく信号増幅を行うＡＦＥと、ＡＦＥから出力されたアナログ信号をディジタル信号に変換するＡＤコンバーターとをさらに備え、装置毎に固有のオフセット設定値とゲイン設定値を記憶し、電源投入の度に記憶されたオフセット設定値、ゲイン設定値に基づきＡＦＥを制御して、画像読取センサーからのアナログ信号が所定の値となるようにオフセット設定値、ゲイン設定値の調整処理を開始する画像読取装置が記載されている（特許文献１：請求項１等参照）。
【先行技術文献】
【特許文献】
【０００４】
【特許文献１】特開２０１０−０４１０８３号公報
【発明の概要】
【発明が解決しようとする課題】
【０００５】
画像読取装置には、表面読み取り用のイメージセンサーや信号処理部（イメージセンサーの出力を処理する回路）と、裏面読み取り用のイメージセンサーや信号処理部を備えるものがある。このような画像読取装置は、原稿を１回搬送するだけで、同時に原稿の両面を読み取れる。
【０００６】
温度や経年変化によって、最適なオフセット電圧や増幅率（ゲイン）は変化する。そこで、主電源ＯＮのような所定のタイミングでオフセット電圧や増幅率の調整を行うことがある。両面同時読み取り式の画像読取装置では、表面用と裏面用の信号処理部ごとに調整が必要となる。そのため、両面同時読み取り式の画像読取装置では、オフセット電圧や増幅率の調整の所要時間が長くなる。従って、画像読取装置が利用できる状態になるまでの使用者の待ち時間が長くなるという問題がある。
【０００７】
特許文献１記載の画像読取装置は、片面読み取り用のものである。１本の搬送経路に表面読み取り用のイメージセンサーと、裏面読み取り用のイメージセンサーを設けるものではない。従って、特許文献１記載の技術では、上記の問題を解決することはできない。
【０００８】
本発明は、上記従来技術の問題点に鑑み、両面同時読み取り式の画像読取装置に関し、調整に要する時間を短くし、画像読取装置が利用可能な状態になるまでの使用者の待ち時間を短くする。
【課題を解決するための手段】
【０００９】
上記目的を達成するために、請求項１に係る画像読取装置は、第１読取部、第１信号処理部、第２読取部、第２信号処理部、主制御部、記憶部を備える。前記第１読取部は、第１光源及び第１イメージセンサーを含み、原稿の一方の面を読み取る。前記第１信号処理部は、前記第１イメージセンサーのアナログ信号のオフセット調整を行う第１オフセット回路と、オフセット調整されたアナログ信号をＡＤ変換する第１ＡＤ変換回路と、を含む。前記第２読取部は、第２光源及び第２イメージセンサーを含み、原稿の他方の面を読み取る。前記第２信号処理部は、前記第２イメージセンサーのアナログ信号のオフセット調整を行う第２オフセット回路と、オフセット調整されたアナログ信号をＡＤ変換する第２ＡＤ変換回路と、を含む。前記制御部は、前記第１オフセット回路と前記第２オフセット回路を制御する。前記記憶部は、前記第１イメージセンサーの読み取り結果に基づき定められた電圧値であって、前記第１オフセット回路が調整する電圧値である第１オフセット値と、前記第２イメージセンサーの読み取り結果に基づき定められた電圧値であって、前記第２オフセット回路が調整する電圧値である第２オフセット値との差を示す差分データを予め記憶する。前記制御部は、前記第１イメージセンサーの読み取り結果に基づき前記第１オフセット値を定め、定めた前記第１オフセット値に前記差分データの値を加算又は減算することにより、前記第２オフセット値を求め、前記第１オフセット回路に定めた前記第１オフセット値でオフセット調整を行わせるとともに、前記第２オフセット回路に求めた前記第２オフセット値でオフセット調整を行わせる。
【発明の効果】
【００１０】
本発明によれば、両面同時読み取り式の画像読取装置に関し、各信号処理部の調整の所要時間を従来よりも短くすることができる。従って、主電源ＯＮや省電力モード解除から画像読取装置が利用可能な状態になるまでの使用者の待ち時間を短くすることができる。そして、使い勝手のよい画像読取装置、画像形成装置を提供することができる。
【図面の簡単な説明】
【００１１】
【図１】実施形態に係る複合機の一例を示す図である。
【図２】実施形態に係る画像読取装置の一例を示す図である。
【図３】実施形態に係る原稿搬送部と画像読取部の一例を示す図である。
【図４】実施形態に係る第１読取部と第１信号処理部の一例を示す図である。
【図５】実施形態に係る第２読取部と第２信号処理部の一例を示す図である。
【図６】実施形態に係る画像読取装置での差分データと比率データの登録の流れの一例を示すフローチャートである。
【図７】実施形態に係る画像読取装置でのオフセット値と増幅率の調整の流れの一例を示すフローチャートである。
【図８】実施形態に係る画像読取装置での差分データと比率データの更新の流れの一例を示す図である。
【発明を実施するための形態】
【００１２】
以下、図１〜図８を用い、画像読取装置１００を含む複合機１０１（画像形成装置に相当）を例に挙げ、本発明の実施形態を説明する。本実施の形態に記載されている構成、配置等の各要素は、発明の範囲を限定せず、単なる説明例にすぎない。
【００１３】
（複合機１０１）
次に、図１を用いて、実施形態に係る複合機１０１を説明する。図１は、実施形態に係る複合機１０１の一例を示す図である。
【００１４】
図１に示すように、複合機１０１は、画像読取部１、原稿搬送部２、操作パネル３を含む。また、複合機１０１には主制御部４、印刷部５が設けられる。印刷部５は、給紙部５ａ、搬送部５ｂ、画像形成部５ｃ、定着部５ｄを含む。
【００１５】
主制御部４は、複合機１０１の全体制御を司る。主制御部４は、ＣＰＵ４１を含む。又、複合機１０１には、ＲＯＭ、ＨＤＤやフラッシュＲＯＭのような不揮発性メモリーとＲＡＭのような揮発性のメモリーを含む記憶部６が設けられる。記憶部６は、制御に関するプログラムやデータを記憶する。主制御部４は、記憶部６のプログラムやデータを利用して各部を制御する。主制御部４は、スキャンや印刷や送信や画像データの記憶のような各種ジョブを行わせる。又、主制御部４には、画像読取装置１００から出力される画像データに基づき画像処理を行う画像処理部４２が設けられる。
【００１６】
操作パネル３は、操作パネル３の状態や各種メッセージや設定用画面を表示する。また、操作パネル３はスキャンやコピーのようなジョブに関する設定操作を受け付ける。主制御部４は、操作パネル３と通信し設定内容を認識する。
【００１７】
印刷部５の給紙部５ａは、用紙を供給する。搬送部５ｂは、用紙を搬送し、印刷済み用紙を機外に排出する。画像形成部５ｃは、画像データに基づきトナー像を形成し、搬送される用紙にトナー像を転写する。定着部５ｄは、転写されたトナー像を用紙に定着させる。主制御部４は印刷部５の動作を制御する。
【００１８】
又、複合機１０１は、通信部４３を含む。通信部４３は、ＰＣやサーバーのようなコンピューター２００やＦＡＸ装置３００と、ネットワークやケーブルや公衆回線を介して通信可能に接続される。通信部４３は、原稿読み取りに基づく画像データをコンピューター２００やＦＡＸ装置３００に送信できる（スキャン送信機能）。
【００１９】
（画像読取装置１００の構成）
次に、図１〜図３を用いて、実施形態に係る画像読取装置１００を説明する。図２は、実施形態に係る画像読取装置１００の一例を示す図である。図３は、実施形態に係る原稿搬送部２と画像読取部１の一例を示す図である。
【００２０】
図１に示すように、実施形態に係る画像読取装置１００は、画像読取部１、原稿搬送部２、主制御部４、記憶部６を少なくとも含む。そこで、図２、図３を用いて、原稿搬送部２と画像読取部１を説明する。まず、原稿搬送部２は、画像読取部１の上方に設けられる。原稿搬送部２は、画像読取部１に対し上下方向に開閉し、セットされた原稿を搬送読取用コンタクトガラス１ａ（読み取り位置）に向けて搬送する。また、原稿搬送部２は、原稿を上方から押さえるカバーとして機能する。
【００２１】
原稿搬送部２は、原稿搬送方向上流側から順に、原稿トレイ２ａ、原稿供給ローラー２ｂ、原稿搬送路２ｃ、複数の原稿搬送ローラー対２ｄ、原稿排出ローラー対２ｅ、原稿排出トレイ２ｇを含む。
【００２２】
また、原稿搬送部２には、原稿搬送部２の動作の制御を行う原稿搬送制御部２０が設けられる。原稿搬送制御部２０は、ＣＰＵや、制御用のプログラムやデータを記憶するメモリーを含む基板である。原稿搬送制御部２０は、主制御部４や読取制御部１０と通信可能に接続される。原稿搬送制御部２０は、主制御部４や読取制御部１０からの原稿搬送開始の指示を受け、原稿搬送部２での原稿搬送の動作制御を行う。
【００２３】
原稿トレイ２ａに用紙が存在する否かを検知するための原稿検知センサー２ｈが原稿搬送部２内に設けられる（図３参照）。原稿読取を行うジョブの実行指示が操作パネル３になされたとき、主制御部４は、原稿の読取指示を原稿搬送制御部２０に送信する。原稿搬送制御部２０は、原稿検知センサー２ｈの出力を確認し、原稿トレイ２ａに用紙が存在する否かを検知する。原稿トレイ２ａに原稿があるとき、原稿搬送制御部２０は原稿搬送モーター２ｉを駆動させ、原稿供給ローラー２ｂや原稿搬送ローラー対２ｄを回転させる。原稿供給ローラー２ｂは、各原稿搬送ローラー対２ｄは、読み取り位置に向けて原稿を搬送する。
【００２４】
原稿は、画像読取部１の上面に設けられた搬送読取用コンタクトガラス１ａの上側を通過する。この通過の際、画像読取部１に設けられた第１読取部１１が原稿の表面を読み取る。また、原稿搬送路２ｃの途中に第２読取部２１が設けられる。第２読取部２１は、固定されている（動かない）。第２読取部２１によって、原稿の１回の搬送で（スイッチバックを行うことなく）、表面と裏面を同時に読み取ることができる。なお、操作パネル３で両面読み取りを伴うジョブの実行が指示されたときに、第２読取部２１は原稿の読み取りを行う。
【００２５】
図２に示すように、画像読取部１は箱形の筐体を有する。そして、画像読取部１の上面左側に、透明板状の搬送読取用コンタクトガラス１ａが設けられる。画像読取部１の上面かつ、搬送読取用コンタクトガラス１ａの右側に、透明板状の載置読取用コンタクトガラス１ｂが配される。画像読取部１は、原稿搬送部２により搬送され搬送読取用コンタクトガラス１ａを通過する原稿、又は、載置読取用コンタクトガラス１ｂにセットされた原稿に光を照射し、反射に基づき原稿の表面を読み取って画像データを生成する。
【００２６】
画像読取部１には、画像読取部１の動作の制御を行う読取制御部１０が設けられる。読取制御部１０は、ＣＰＵ、メモリー、集積回路などを含む基板である。読取制御部１０は、主制御部４からの指示、信号を受け、原稿の読み取りを行う。
【００２７】
又、図２に示すように、画像読取部１は、筐体内に、第１読取部１１、ワイヤー１ｃ、巻取ドラム１ｄを含む。第１読取部１１はワイヤー１ｃで巻取ドラム１ｄに接続される。巻取ドラム１ｄは、正逆回転する巻取モーター１ｅ（図３参照）により回転する。載置読取用コンタクトガラス１ｂ上の原稿を読み取る時、読取制御部１０は、巻取ドラム１ｄを回転させ、第１読取部１１を水平方向に移動させる。搬送原稿の読取時、読取制御部１０は、搬送読取用コンタクトガラス１ａの下方に第１読取部１１を固定する。
【００２８】
（第１読取部１１と第１信号処理部１２）
次に、図４に基づき、実施形態に係る第１読取部１１と第１信号処理部１２の一例を説明する。図４は、実施形態に係る第１読取部１１と第１信号処理部１２の一例を示す図である。
【００２９】
画像読取部１内には、第１読取部１１と第１信号処理部１２が設けられる。第１読取部１１は、原稿の一方の面（表面）を読み取るためのユニットである。第１読取部１１は、ＣＩＳ読取ユニットである。第１読取部１１は、第１点灯回路１３、第１光源１４、第１イメージセンサー１５を含む。その他、第１読取部１１は、原稿の反射光を第１イメージセンサー１５に導くレンズのような光学系部材を含む。
【００３０】
第１光源１４は、ＬＥＤや冷陰極管のような光源であり、主走査方向に沿って光を原稿に照射する。読取制御部１０は、第１点灯回路１３に点灯指示を与え、第１光源１４を点灯させる。また、読取制御部１０は、第１点灯回路１３に消灯指示を与え、第１光源１４を消灯させる。
【００３１】
第１イメージセンサー１５は、主走査方向に沿って受光素子が並べられたラインセンサー１５ａと、各受光素子の電荷を受け、第１信号処理部１２に各受光素子の出力を転送するシフトレジスタ部１５ｂを含む。第１イメージセンサー１５は、複数色分のラインセンサーを含むカラー対応のものでもよいし、白黒読み取り用のラインセンサーのみを含むモノクロ式のものでもよい。
【００３２】
第１信号処理部１２は、いわゆるＡＦＥ（Analog Front End）回路である。第１信号処理部１２は、第１イメージセンサー１５の各受光素子からのアナログ信号を処理し、ディジタルデータ（原稿の画像データ）を生成する回路である。第１信号処理部１２は、第１オフセット回路１６、第１増幅回路１７、第１ＡＤ変換回路１８を含む。第１信号処理部１２にはノイズ除去回路のような他種の信号処理用の回路を含めても良い。
【００３３】
第１オフセット回路１６は、第１イメージセンサー１５の各受光素子からのアナログ信号の電圧値を調整する回路である。言い換えると、第１オフセット回路１６は、第１イメージセンサー１５のアナログ信号のオフセット調整を行う。例えば、第１オフセット回路１６は、−２５０ｍＶ〜＋２５０ｍＶ程度の範囲で出力電圧値を変更することが可能である。読取制御部１０は、第１オフセット回路１６にオフセットする電圧値を示す信号を入力する。第１オフセット回路１６は、指示されたオフセット値（電圧）を出力する。
【００３４】
第１増幅回路１７は、第１ＡＤ変換回路１８に入力するアナログ信号（オフセット調整されたアナログ信号）を増幅する。第１増幅回路１７は、オペアンプのような増幅用回路１７ａと、増幅用回路１７ａの増幅率を調整する調節回路１７ｂを含む。読取制御部１０は、調節回路１７ｂに増幅率を示す信号を入力する。調節回路１７ｂは、増幅用回路１７ａの増幅率を指示された増幅率となるように調節する。
【００３５】
第１ＡＤ変換回路１８は、第１増幅回路１７、第１オフセット回路１６で調整された各受光素子のアナログ信号（第１イメージセンサー１５のアナログ出力に基づく信号）をＡＤ変換して画像データを生成する。ＡＤ変換後の画像データは、画像処理部４２に送られる。画像処理部４２の補正部４４は、画像データに対し、シェーディング補正のような補正を行う。補正後の画像データは、記憶部６に記憶される。画像処理部４２は、実行するジョブに応じた画像処理を記憶部６の画像データに対して施す。そして、画像処理された表面の画像データは、印刷や送信のジョブに用いられる。
【００３６】
（第２読取部２１と第２信号処理部２２）
次に、図５に基づき、実施形態に係る第２読取部２１と第２信号処理部２２の一例を説明する。図５は、実施形態に係る第２読取部２１と第２信号処理部２２の一例を示す図である。
【００３７】
原稿搬送部２内には、第２読取部２１と第２信号処理部２２が設けられる。第２読取部２１は、原稿の他方の面（裏面）を読み取るためのユニットである。第２読取部２１は、ＣＩＳ読取ユニットである。第２読取部２１は、第２点灯回路２３、第２光源２４、第２イメージセンサー２５を含む。その他、第２読取部２１は、原稿の反射光を第２イメージセンサー２５に導くレンズのような光学系部材を含む。
【００３８】
第２光源２４は、ＬＥＤや冷陰極管のような光源であり、主走査方向に沿って光を原稿に照射する。原稿搬送制御部２０は、第２点灯回路２３に点灯指示を与え、第２光源２４を点灯させる。また、原稿搬送制御部２０は、第２点灯回路２３に消灯指示を与え、第２光源２４を消灯させる。
【００３９】
第２イメージセンサー２５は、主走査方向に沿って受光素子が並べられたラインセンサー２５ａと、各受光素子の電荷を受け、第２信号処理部２２に各受光素子の出力を転送するシフトレジスタ部２５ｂを含む。第２イメージセンサー２５は、複数色分のラインセンサーを含むカラー対応のものでもよいし、白黒読み取り用のラインセンサーのみを含むモノクロ式のものでもよい。しかし、第２イメージセンサー２５は、第１イメージセンサー１５と同じ仕様である。
【００４０】
第２信号処理部２２は、いわゆるＡＦＥ（Analog Front End）回路である。第２信号処理部２２は、第２イメージセンサー２５の各受光素子からのアナログ信号を処理し、ディジタルデータ（原稿の画像データ）を生成する回路である。第２信号処理部２２は、第２オフセット回路２６、第２増幅回路２７、第２ＡＤ変換回路２８を含む。第２信号処理部２２にノイズ除去回路のような他種の信号処理用の回路を含めても良い。
【００４１】
第２オフセット回路２６は、第２イメージセンサー２５の各受光素子からのアナログ信号の電圧値を調整する回路である。言い換えると、第２オフセット回路２６は、第２イメージセンサー２５のアナログ信号のオフセット調整を行う。第２オフセット回路２６は、−２５０ｍＶ〜＋２５０ｍＶ程度の範囲で出力電圧値を変更することが可能である。原稿搬送制御部２０は、第２オフセット回路２６にオフセット値を示す信号を入力する。第２オフセット回路２６は、指示されたオフセット値（電圧）を出力する。
【００４２】
第２増幅回路２７は、第２ＡＤ変換回路２８に入力するアナログ信号（オフセット調整されたアナログ信号）を増幅する。第２増幅回路２７は、オペアンプのような増幅用回路２７ａと、増幅用回路２７ａの増幅率を調整する調節回路２７ｂを含む。原稿搬送制御部２０は、調節回路２７ｂに増幅率を示す信号を入力する。調節回路２７ｂは、増幅用回路２７ａの増幅率を指示された増幅率となるように調節する。
【００４３】
第２ＡＤ変換回路２８は、第２増幅回路２７、第２オフセット回路２６で調整された各受光素子のアナログ信号（第２イメージセンサー２５のアナログ出力に基づく信号）をアナログ−ディジタル変換して画像データを生成する。ＡＤ変換後の画像データは、画像処理部４２に送られる。画像処理部４２の補正部４４は、画像データに対し、シェーディング補正のような補正を行う。補正後の画像データは、記憶部６に記憶される。画像処理部４２は、実行するジョブに応じた画像処理を記憶部６の画像データに対して施す。そして、画像処理された裏面の画像データは、印刷や送信のジョブに用いられる。
【００４４】
図４、図５に示すように、第１読取部１１と第２読取部２１の構成は同様であり、同じ部材が用いられる。つまり、第１光源１４と第２光源２４は、同じ仕様である。第１イメージセンサー１５と第２イメージセンサー２５も同じ仕様である。また、第１信号処理部１２と第２信号処理部２２の構成も同様であり、同じ部材が用いられる（同じＡＦＥ回路である）。つまり、第１ＡＤ変換回路１８と第２ＡＤ変換回路２８も同じ仕様である。第１オフセット回路１６と第２オフセット回路２６も同じ仕様である。第１増幅回路１７と前記第２増幅回路２７も同じ仕様である。
【００４５】
（差分データＤ１と比率データＤ２の登録）
次に、図６に基づき、実施形態に係る画像読取装置１００での差分データＤ１と比率データＤ２の登録の流れにを説明する。図６は、実施形態に係る画像読取装置１００での差分データＤ１と比率データＤ２の登録の流れの一例を示すフローチャートである。
【００４６】
まず、差分データＤ１は、記憶部６に不揮発的に記憶されるデータである。差分データＤ１は、第１オフセット回路１６が調整する電圧値である第１オフセット値と、第２オフセット回路２６が調整する電圧値である第２オフセット値との差を示すデータである。第１オフセット値は、図６に示すオフセット調整手順に従って、第１イメージセンサー１５の読み取り結果に基づき定められ、第２オフセット値は、図６に示すオフセット調整手順に従って、第２イメージセンサー２５の読み取り結果に基づき定められる。
【００４７】
また、比率データＤ２も、記憶部６に予め不揮発的に記憶されるデータである（図１参照）。比率データＤ２は、第１増幅回路１７の増幅率（第１増幅率）と、第２増幅回路２７の増幅率（第２増幅率）との比率を示すデータである。第１増幅率は、図６に示す増幅率調整手順に従って、第１イメージセンサー１５の読み取り結果に基づき定められ、第２増幅率は、図６に示す増幅率調整手順に従って、第２イメージセンサー２５の読み取り結果に基づき定められる。
【００４８】
図６のフローチャートのスタートは、差分データＤ１と比率データＤ２の新規登録条件が満たされた時点である。製造ラインでの操作パネル３への新規登録の指示や、データの新規登録を指示する信号の通信部４３への入力があったとき、主制御部４は、新規登録条件が満たされたと判断する。
【００４９】
まず、主制御部４は、読取制御部１０に第１オフセット値と第１増幅率の取得を指示する（ステップ♯１１）。この指示を受け、読取制御部１０は、第１光源１４を消灯した状態で、第１イメージセンサー１５に読み取りを行わせる（ステップ♯１２）。そして、第１信号処理部１２は、第１イメージセンサー１５の各受光素子のアナログ出力電圧を処理する。その結果、消灯時の画像データが少なくとも１ライン分得られる。なお、複数ラインの読み取りを行っても良い。このとき、第１増幅回路１７の増幅率は１倍（ゲイン＝０ｄｂ）とする。
【００５０】
主制御部４は、消灯状態で読み取った各画素の値に基づき、消灯時の各画素の値が真っ黒に対応するディジタル値（例えば、「０」）に近づくように、第１オフセット値を求める（ステップ♯１３）。
【００５１】
例えば、主制御部４は、消灯状態の読み取りで得られた各画素の画素値の平均値、最大値、最小値、又は、中央値の何れかと真っ黒に対応する画素値の差を第１参照値として求める。例えば、真っ黒に対応する画素値が「０」であり、平均の画素値が「５」のとき、第１参照値は「５」となる。そして、第１ＡＤ変換回路１８の１ステップ当たりの電圧値は決まっている。そこで、主制御部４は、第１参照値と１ステップ当たりの電圧値を乗じて第１オフセット値を求める。つまり、第１イメージセンサー１５の各受光素子の漏れ電流分、アナログ出力電圧値を調整し、消灯時の各受光素子からの出力値を第１ＡＤ変換回路１８の入力範囲の下限値に近づける。
【００５２】
次に、読取制御部１０は、巻取モーター１ｅを動作させ、送り読取用コンタクトガラスの下方に第１読取部１１の読み取り位置を移動させる。そして、読取制御部１０は、第１点灯回路１３に第１光源１４を点灯させる（ステップ♯１４）。そして、読取制御部１０は、第１イメージセンサー１５に読み取りを行わせる（ステップ♯１５）。このとき、イメージセンサーは、第１白基準板を読み取る。第１白基準板は、送り読取用コンタクトガラスの上方に設けられる（図２参照）。
【００５３】
続いて、第１信号処理部１２は、イメージセンサーの各受光素子のアナログ出力電圧を処理する。その結果、消灯時の画像データが少なくとも１ライン分得られる。なお、複数ラインの読み取りを行っても良い。このとき、第１増幅回路１７の増幅率は１倍（ゲイン＝０ｄｂ）とする。
【００５４】
主制御部４は、点灯状態で読み取った各画素の値に基づき、点灯時の各画素の値が真っ白に対応するディジタル値（例えば、８ビットなら「２５５」、１０ビットなら「１０２３」）に近づくように、第１増幅率を求める（ステップ♯１６）。
【００５５】
主制御部４は、真っ白に対応する画素値を、点灯状態の読み取りで得られた各画素の画素値の平均値、最大値、最小値、又は、中央値の何れかの値で除した値を第１増幅率として求める。例えば、真っ白に対応する画素値が「２５５」であり、平均画素値が「２４０」のとき、第１増幅率を「１．０６（２５５÷２４０）」とする。つまり、第１白基準板を読み取ったときの第１イメージセンサー１５の各受光素子のアナログ出力電圧を第１ＡＤ変換回路１８の入力範囲の上限値に近づける。
【００５６】
続いて、主制御部４は、原稿搬送制御部２０に第２オフセット値と第２増幅率の取得を指示する（ステップ♯１７）。第２オフセット値と第２増幅率の取得は、第２読取部２１と第２信号処理部２２が行う。基本的な流れは、第１オフセット値と第１増幅率の取得と同様である。
【００５７】
まず、原稿搬送制御部２０は、第２光源２４を消灯した状態で、第２イメージセンサー２５に読み取りを行わせる（ステップ♯１８）。そして、第２信号処理部２２は、第２イメージセンサー２５の各受光素子のアナログ出力電圧を処理する。第２イメージセンサー２５は、１又は複数ラインの読み取りを行う。第２増幅回路２７の増幅率も１倍（ゲイン＝０ｄｂ）とする。
【００５８】
主制御部４は、消灯状態で読み取った各画素の値に基づき、消灯時の各画素の値が真っ黒に対応するディジタル値（例えば、「０」）に近づくように、第２オフセット値を求める（ステップ♯１９）。
【００５９】
第２オフセット値の求め方は、第１オフセット値の求め方と同様でよい。例えば、主制御部４は、消灯状態の読み取りで得られた各画素の画素値の平均値、最大値、最小値、又は、中央値の何れかと真っ黒に対応する画素値の差を第２参照値として求める。そして、主制御部４は、第２参照値と第２ＡＤ変換回路２８の１ステップ当たりの電圧値を乗じて第２オフセット値を求める。つまり、第２イメージセンサー２５の各受光素子の漏れ電流分、アナログ出力電圧値を調整し、消灯時の各画素のアナログ出力値を第２ＡＤ変換回路２８の入力範囲の下限値に近づける。
【００６０】
次に、原稿搬送制御部２０は、第２点灯回路２３に第２光源２４を点灯させる（ステップ♯１１０）。そして、読取制御部１０は、第２イメージセンサー２５に読み取りを行わせる（ステップ♯１１）。このとき、イメージセンサーは、第２白基準板を読み取る。第２白基準板は、原稿搬送路２ｃであって、第２読取部２１の読み取り面に対向する位置に設けられる（図２参照）。
【００６１】
続いて、第２信号処理部２２は、第２光源２４点灯時のイメージセンサーの各受光素子のアナログ出力電圧を処理する。その結果、点灯時の画像データが少なくとも１ライン分得られる。なお、複数ラインの読み取りを行っても良い。このとき、第２増幅回路２７の増幅率は１倍（ゲイン＝０ｄｂ）とする。
【００６２】
主制御部４は、点灯状態で読み取った各画素の値に基づき、点灯時の各画素の値が真っ白に対応するディジタル値に近づくように、第２増幅率を求める（ステップ♯１１２）。求め方は、第１増幅率と同様である。例えば、主制御部４は、真っ白に対応する画素値を、点灯状態の読み取りで得られた各画素の画素値の平均値、最大値、最小値、又は、中央値の何れかの値で除した値を第２増幅率として求める。つまり、第２白基準板を読み取ったときの第２イメージセンサー２５の各画素のアナログ出力電圧を第２ＡＤ変換回路２８の入力範囲の上限値に近づける。
【００６３】
そして、主制御部４は、求めた第１オフセット値と第２オフセット値と第１増幅率と第２増幅率に基づき、差分と比率を求める（ステップ♯１１３）、そして、主制御部４は、記憶部６に差分データＤ１と比率データＤ２を不揮発的に記憶させる（ステップ♯１１４→エンド）。
【００６４】
本実施形態の画像読取装置１００では、主制御部４は、以下の式により、差分と比率を求め、得られた差分を差分データＤ１として、得られた比率を比率データＤ２として記憶部６に記憶させる。
差分（差分データＤ１）＝第１オフセット値−第２オフセット値
比率（比率データＤ２）＝第１増幅率÷第２増幅率
【００６５】
ここで、環境温度や湿度、複合機１０１の機内温度や、各読取部、読取制御部１０、及び、原稿搬送制御部２０の基板の周辺温度のような要因によって、適切なオフセット値や増幅率が変化する場合がある。そのため、本実施形態の複合機１０１では、主電源の投入時や省電力モードの解除時にオフセット値と増幅率の調整を行う。
【００６６】
しかし、本実施形態の複合機１０１は、原稿を読み取る部分として、第１読取部１１及び第１信号処理部１２の組合せと、第２読取部２１及び第２信号処理部２２の組合せを含む。上述した差分データＤ１と比率データＤ２の登録時のように、光源消灯時と点灯時の読み取りを第１イメージセンサー１５と第２イメージセンサー２５のそれぞれに行わせ、各読み取り結果に基づき、第１読取部１１のオフセット値及び増幅率と、第２読取部２１のオフセット値及び増幅率を求めると、調整に時間がかかる。
【００６７】
そこで、実施形態に係る複合機１０１では、第２読取部２１と第２信号処理部２２については、第２イメージセンサー２５の読み取り結果ではなく、演算により、第２オフセット値と第２増幅率を設定する。以下、実施形態に係る複合機１０１での第２オフセット値と第２増幅率の設定の流れを説明する。
【００６８】
（オフセット値と増幅率の調整）
次に、図７に基づき、実施形態に係る画像読取装置１００でのオフセット値と増幅率の調整の流れの一例を説明する。図７は、実施形態に係る画像読取装置１００でのオフセット値と増幅率の調整の流れの一例を示すフローチャートである。
【００６９】
図７のスタートは、予め定められた調整条件が満たされた時点である。主制御部４は、複合機１０１の主電源が投入されたとき、及び、複合機１０１の省電力モードが解除され、通常モードに復帰するとき、調整条件が満たされたと判断する。
【００７０】
なお、本実施形態の複合機１０１では、主制御部４は、省電力モードの間、原稿搬送部２、画像読取部１への電力供給を停止させる。通常モードの間、予め定められた移行条件が満たされると、主制御部４は、複合機１０１（画像読取装置１００）を省電力モードに移行させる。省電力モードでは、原稿読み取りを行えない。そこで、操作パネル３への操作のような省電力モード解除条件が満たされると、主制御部４は、複合機１０１（画像読取装置１００）を通常モードに復帰させる。通常モードの復帰に伴い、原稿搬送部２、画像読取部１への電力供給が再開される。
【００７１】
そして、図７のうち、ステップ♯２１〜ステップ♯２６は、図６のステップ♯１１〜ステップ♯１６と同様なので説明を省略する。そして、主制御部４は、第１イメージセンサー１５の読み取り結果に基づき定めた第１オフセット値と第１増幅率を読取制御部１０に与える。その結果、読取制御部１０は、定めた第１オフセット値を第１オフセット回路１６にセットし、定めた第１増幅率を第１増幅回路１７にセットする（ステップ♯２７）。その結果、第１オフセット回路１６は、第１イメージセンサー１５の各受光素子の電圧値をセットされた第１オフセット値だけ調整する。また、第１増幅回路１７は、オフセット調整されたアナログ信号をセットされた第１増幅率で増幅する。続いて、主制御部４は、定めた第１オフセット値から差分データＤ１の値を減ずることにより第２オフセット値を求める（ステップ♯２８）。
【００７２】
具体的に、差分データＤ１登録時に求めた第１オフセット値をａ０、第２オフセット値をｂ０、図７のフロー（調整時）に定めた第１オフセット値をａ１、本ステップで求められる第２オフセット値をｂ１とする。そうすると、差分データＤ１と、ステップ♯２８で求める第２オフセット値ｂ１は、以下の式に基づき求められる。
差分データＤ１＝ａ０−ｂ０
ｂ１＝ａ１−Ｄ１
具体的に、ａ０＝−５０ｍＶ、ｂ０＝−２５ｍＶのとき、差分データＤ１は、−５０−（−２５）＝−２５（ｍＶ）となる（第１オフセット値の方が２５ｍＶ、小さい）。
そして、図７のステップ♯２３で求められた第１オフセット値ａ１が−４０ｍＶのとき、主制御部４は、−４０−（−２５）＝−１５ｍＶとなり、調整時、−１５ｍＶが第２オフセット値ｂ１として求められる。
このように、差分データＤ１登録時の第１オフセット値と第２オフセット値の大小関係と差が維持されるように、演算により第２オフセット値が求められる。
【００７３】
更に、主制御部４は、定めた第１増幅率を比率データＤ２の値で除すことにより第２増幅率値を求める（ステップ♯２９）。
【００７４】
具体的に、比率データＤ２登録時に定めた第１増幅率をｃ０、第２増幅率をｄ０、図７のフロー（調整時）で定められた第１増幅率をｃ１、本ステップで求められる第２増幅率をｄ１とする。そうすると、比率データＤ２とステップ♯２８で求める第２増幅率ｄ１は、以下の式に基づき求められる。
比率データＤ２＝ｃ０／ｄ０
ｄ１＝ｃ１／Ｄ２
具体的に、ｃ０＝１１０％、ｄ０＝１００％のとき、比率データＤ２は、１１０／１００＝１．１となる（第１増幅率は第２増幅率よりも１０％大きい）。
そして、図７のステップ♯２６（調整時）に定められた第１増幅率ｃ１が１２０％のとき、調整時、１２０％÷１．１＝１０９％が第２増幅率ｄ１として求められる。
このように、比率データＤ２登録時の第１増幅率と第２増幅率の大小関係と比率を維持されるように、演算により第２増幅率が求められる。
【００７５】
主制御部４は、求めた第２オフセット値と第２増幅率を原稿搬送制御部２０に与える。原稿搬送制御部２０は、求めた第２オフセット値を第２オフセット回路２６にセットし、求めた第２増幅率を第２増幅回路２７にセットする（ステップ♯２１０）。
【００７６】
その結果、第２オフセット回路２６は、第２イメージセンサー２５の各受光素子の電圧値を第２オフセット値だけ調整する。また、第２増幅回路２７は、オフセット調整されたアナログ信号を設定された第２増幅率で増幅する。
【００７７】
（差分データＤ１と比率データＤ２の更新）
次に、図８を用いて、実施形態に係る画像読取装置１００での差分データＤ１と比率データＤ２の更新を説明する。図８は、実施形態に係る画像読取装置１００での差分データＤ１と比率データＤ２の更新の流れの一例を示す図である。
【００７８】
複合機１０１（画像読取装置１００）を使用しているうちに、第１読取部１１、第１信号処理部１２、第２読取部２１、第２信号処理部２２に含まれる回路、デバイスの出力特性が変化することがある。第１読取部１１、第１信号処理部１２、第２読取部２１、第２信号処理部２２の経時変化の結果、記憶している（登録している）差分データＤ１と比率データＤ２を用いて求めた第２オフセット値、第２増幅率が適切とはいえない値となる可能性がある。
【００７９】
そこで、本実施形態の画像読取装置１００では、差分データＤ１と比率データＤ２を更新することができる。図８を用いて、差分データＤ１と比率データＤ２の更新を説明する。なお、差分データＤ１の更新と、比率データＤ２の更新は、同時に行ってもよいし、別々の時点で行ってもよい。図８の例では、差分データＤ１の更新と比率データＤ２の更新を同時に行う例を説明する。
【００８０】
図８のスタートは、更新条件が満たされた時点である。差分データＤ１と比率データＤ２の更新を行う旨の指示が操作パネル３に入力されたとき、主制御部４は、更新条件が満たされたと判断してもよい。また、差分データＤ１と比率データＤ２の新規登録、又は、更新から予め定められた枚数、原稿を読み取ったとき、主制御部４は、更新条件が満たされたと判断してもよい。
「予め定められた枚数」は、数千〜数万枚のように適宜定めることができる。また、差分データＤ１と比率データＤ２の新規登録、又は、更新から予め定められた時間が経過した後、最初に主電源が投入されたときや、最初に省電力モードが解除されたとき、主制御部４は、更新条件が満たされたと判断してもよい。「予め定められた時間」は、数週、数月、数日のように、適宜定めることができる。
【００８１】
まず、主制御部４は、図７に示すフローチャートを実行する（ステップ♯３１）。そして、得られた第１オフセット値、第２オフセット値、第１増幅率、第２増幅率に基づき、新たな差分と比率を求め、差分データＤ１と比率データＤ２を記憶部６に更新させるステップ♯３２→エンド）。これにより、主電源投入時や省電力モードの解除時、現在の状況に応じて第１オフセット値、第２オフセット値、第１増幅率、第２増幅率が調整される。
【００８２】
このようにして、実施形態に係る画像読取装置１００は、第１光源１４及び第１イメージセンサー１５を含み、原稿の一方の面を読み取る第１読取部１１と、第１イメージセンサー１５のアナログ信号のオフセット調整を行う第１オフセット回路１６と、オフセット調整されたアナログ信号をＡＤ変換する第１ＡＤ変換回路１８と、を含む第１信号処理部１２と、第２光源２４及び第２イメージセンサー２５を含み、原稿の他方の面を読み取る第２読取部２１と、第２イメージセンサー２５のアナログ信号のオフセット調整を行う第２オフセット回路２６と、オフセット調整されたアナログ信号をＡＤ変換する第２ＡＤ変換回路２８と、を含む第２信号処理部２２と、第１オフセット回路１６と第２オフセット回路２６を制御する制御部（主制御部４）と、第１イメージセンサー１５の読み取り結果に基づき定められた電圧値であって、第１オフセット回路１６が調整する電圧値である第１オフセット値と、第２イメージセンサー２５の読み取り結果に基づき定められた電圧値であって、第２オフセット回路２６が調整する電圧値である第２オフセット値との差を示す差分データＤ１を記憶する記憶部６と、を備える。制御部は、第１信号処理部１２と第２信号処理部２２の調整を行うとき、第１イメージセンサー１５の読み取り結果に基づき第１オフセット値を定め、定めた第１オフセット値に差分データＤ１の値を加算又は減算することにより、第２オフセット値を求め、第１オフセット回路１６に定めた第１オフセット値でオフセット調整を行わせるとともに、第２オフセット回路２６に求めた第２オフセット値でオフセット調整を行わせる。
【００８３】
これにより、調整時、第２読取部２１と第２信号処理部２２を動作させ、第２イメージセンサー２５のアナログ信号を確認することなく、加算又は減算の演算だけで第２オフセット値を定めることができる。従って、第２オフセット値を迅速に定めることができる。また、両面同時読み取り式の画像読取装置１００において、各信号処理部のオフセット電圧の調整時間を従来よりも短くすることができる。そして、主電源ＯＮ時のような調整開始時点から画像読取装置１００が利用可能な状態になるまでの使用者の待ち時間を従来よりも短くすることができる。また、第１読取部１１、第１信号処理部１２、第２読取部２１、第２信号処理部２２は同じ環境におかれているので、出力特性も同様に変化する場合が多い。そのため、演算だけで第２オフセット値を適切な値に設定することができる。
【００８４】
なお、第１イメージセンサー１５の読み取り結果に基づき定めた第１オフセット値から第２イメージセンサー２５の読み取り結果に基づき定めた第２オフセット値を減じた値を差分データＤ１とするとき、制御部（主制御部４）は、調整時に定めた第１オフセット値から差分データＤ１の値を減算した値を第２オフセット値として求める。一方、第２イメージセンサー２５の読み取り結果に基づき定めた第２オフセット値から第１イメージセンサー１５の読み取り結果に基づき定めた第１オフセット値を減じた値を差分データＤ１とするとき、制御部（主制御部４）は、調整時に定めた第１オフセット値に差分データＤ１の値を加算した値を第２オフセット値として求める。これにより、差分データＤ１登録時の第１オフセット値と第２オフセット値の大小関係及び差を保つように、第２オフセット値が演算により定められる。
【００８５】
また、予め定められた更新条件が満たされたとき、制御部（主制御部４）は、第１光源１４を消灯した状態での第１イメージセンサー１５の読み取り結果に基づき第１オフセット値を定め、第２光源２４を消灯した状態での第２イメージセンサー２５の読み取り結果に基づき第２オフセット値を定め、定めた第１オフセット値と第２オフセット値の差分を求め、記憶部６に記憶された差分データＤ１を更新する。これにより、第１読取部１１、第１信号処理部１２、第２読取部２１、第２信号処理部２２の経年的な特性変化に対応し、差分データＤ１を現在の各部の状態に応じた値に更新することができる。
【００８６】
また、第１信号処理部１２は、第１ＡＤ変換回路１８に入力するアナログ信号を増幅する第１増幅回路１７を含む。また、第２信号処理部２２は、第２ＡＤ変換回路２８に入力するアナログ信号を増幅する第２増幅回路２７を含む。記憶部６は、第１イメージセンサー１５の読み取り結果に基づき定められた第１増幅回路１７の増幅率である第１増幅率と、第２イメージセンサー２５の読み取り結果に基づき定められた第２増幅回路２７の増幅率である第２増幅率と、の比率を示す比率データＤ２を予め記憶する。制御部（主制御部４）は、第１イメージセンサー１５の読み取り結果に基づき第１増幅率を定め、定めた第１増幅率に比率データＤ２の値を乗ずる又は除すことにより、第２増幅率を求め、第１増幅回路１７に定めた第１増幅率での増幅を行わせるとともに、第２増幅回路２７に求めた第２増幅率での増幅を行わせる。
【００８７】
これにより、第２読取部２１と第２信号処理部２２を動作させ、第２イメージセンサー２５のアナログ信号を確認することなく、乗算又は徐算の演算だけで第２増幅率を設定することができる。従って、第２増幅率を迅速に設定することができる。また、両面同時読み取り式の画像読取装置１００において、各信号処理部の増幅率（ゲイン）の設定時間を従来よりも短くすることができる。そして、主電源ＯＮ時のような調整開始時点から画像読取装置１００が利用可能な状態になるまでの使用者の待ち時間を従来よりも短くすることができる。また、第１読取部１１、第１信号処理部１２、第２読取部２１、第２信号処理部２２は同じ環境におかれているので、出力特性も同様に変化する場合が多い。そのため、演算だけで第２増幅率を適切な値に設定することができる。
【００８８】
なお、第１イメージセンサー１５の読み取り結果に基づき定めた第１増幅率を第２イメージセンサー２５の読み取り結果に基づき定めた第２増幅率で除した値を比率データＤ２とするとき、制御部（主制御部４）は、調整時に定めた第１増幅率を比率データＤ２の値で除した値を第２増幅率として求める。第２イメージセンサー２５の読み取り結果に基づき定めた第２増幅率を第１イメージセンサー１５の読み取り結果に基づき定めた第１増幅率値で除した値を比率データＤ２とするとき、制御部（主制御部４）は、調整時に定めた第１増幅率に比率データＤ２の値を乗じた値を第２増幅率として求める。これにより、比率データＤ２登録時の第１増幅率と第２増幅率の大小関係及び比を保つように、第２増幅率が演算により定められる。
【００８９】
また、予め定められた更新条件が満たされたとき、制御部（主制御部４）は、第１光源１４を点灯した状態での第１イメージセンサー１５の読み取り結果に基づき第１増幅率を定め、第２光源２４を点灯した状態での第２イメージセンサー２５の読み取り結果に基づき第２増幅率を定め、定めた第１増幅率と第２増幅率との比率を求め、記憶部６に記憶された比率データＤ２を更新する。これにより、第１読取部１１、第１信号処理部１２、第２読取部２１、第２信号処理部２２の経年的な特性変化に対応し、比率データＤ２を現在の各部の状態に応じた値に更新することができる。
【００９０】
また、第１光源１４と第２光源２４は、同じ仕様である。第１イメージセンサー１５と第２イメージセンサー２５も同じ仕様である。第１ＡＤ変換回路１８と第２ＡＤ変換回路２８も同じ仕様である。第１オフセット回路１６と第２オフセット回路２６も同じ仕様である。第１増幅回路１７と第２増幅回路２７も同じ仕様である。
【００９１】
これらの部材は同じ仕様（種類）なので、第１信号処理部１２と第２信号処理部２２のオフセット値の差が一定となりやすくなり、第２オフセット値が適切な値に設定されやすくなる。また、これらの部材は同じ仕様（種類）なので、第１増幅率と第２増幅率の比率は一定となりやすくなり、第２増幅率が適切な値に設定されやすくなる。
【００９２】
また、画像形成装置（複合機１０１）は、実施形態に係る画像読取装置１００を含む。従って、両面同時読み取り式の画像読取装置１００が利用可能な状態になるまでの使用者の待ち時間が少ない画像形成装置を提供することができる。また、表面の画像データと裏面の画像データの画質が高い画像形成装置を提供することができる。
【００９３】
次に、他の実施形態を説明する。上記の説明では、第１読取部１１、第１信号処理部１２は原稿の表面の読み取りに関する部分である。また、第２読取部２１、第２信号処理部２２を裏面の読み取りに関する部分である。しかし、原稿の裏面の読み取りに関する部分を第１読取部１１、第１信号処理部１２とし、原稿の表面の読み取りに関する部分を第２読取部２１、第２信号処理部２２としてもよい。
【００９４】
また、登録、又は、更新時に得られた第１オフセット値から第２オフセット値を減じた値を差分データＤ１とする例を説明した。しかし、第２オフセット値から第１オフセット値を減じた値を差分データＤ１としてもよい。この場合、調整時、主制御部４は、第１オフセット値に差分データＤ１の値を加算した値を第２オフセット値として求める。
【００９５】
また、登録、又は、更新時に得られた第１増幅率を第２増幅率で除した値を比率データＤ２とする例を説明した。しかし、第２増幅率を第１増幅率で除した値を比率データＤ２としてもよい。この場合、比率データＤ２の値は、上述した例の逆数となる。そのため、調整時、主制御部４は、第１オフセット値に比率データＤ２の値を乗じた値を第２オフセット値として求める。
【００９６】
以上、本発明の実施形態を説明したが、本発明の範囲はこれに限定されず、発明の主旨を逸脱しない範囲で種々の変更を加えて実施することができる。
【産業上の利用可能性】
【００９７】
本発明は、画像読取装置やこれを備えた画像形成装置に利用可能である。
【符号の説明】
【００９８】
１００  画像読取装置                    １０１  複合機（画像形成装置）
１１    第１読取部                      １２    第１信号処理部
１４    第１光源                        １５    第１イメージセンサー
１６    第１オフセット回路              １７    第１増幅回路
１８    第１ＡＤ変換回路                ２１    第２読取部
２２    第２信号処理部                  ２４    第２光源
２５    第２イメージセンサー            ２６    第２オフセット回路
２７    第２増幅回路                    ２８    第２ＡＤ変換回路
４      主制御部（制御部）              ６      記憶部
Ｄ１    差分データ                      Ｄ２    比率データ
【図１】
2017069696.tif 000003
【図２】
2017069696.tif 000004
【図３】
2017069696.tif 000005
【図４】
2017069696.tif 000006
【図５】
2017069696.tif 000007
【図６】
2017069696.tif 000008
【図７】
2017069696.tif 000009
【図８】
2017069696.tif 000010